【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
波長λ1の光のみを透過させるファイバグレーティングを有する第１および第２の光ファイバと、前記第１の光ファイバと前記第２の光ファイバそれぞれのファイバグレーティングに挟まれ設置されたレンズと、前記第１の光ファイバと前記第２の光ファイバを設置する規制ガイドを有し、前記レンズを固定するレンズ挿入部が形成された基板を具備する波長分離素子。
【請求項２】
波長λ1の光のみを透過させるファイバグレーティングを有する第１および第２の光ファイバと、前記第１の光ファイバと前記第２の光ファイバとを設置する規制ガイドが形成された基板を具備する波長分離素子。
【請求項３】
斜め形状を有する第１の光ファイバおよび第２の光ファイバと、前記第１の光ファイバと前記第２の光ファイバの間に設置され波長λ1の光は透過し波長λ2の光は反射する波長フィルタと、前記波長フィルタにより反射された光を前記第１および第２の光ファイバとは異なる光ファイバに入射するように配置されたレンズと、前記第１の光ファイバと前記第２の光ファイバとを設置する規制ガイドとを有し、前記波長フィルタと前記レンズを固定する部分を有する第１の基板と、前記第１および第２の光ファイバとは異なる光ファイバを設置する挿入部を有する第２の基板を具備する波長分離素子。
【請求項４】
基板に規制ガイドとレンズ挿入部とを形成する工程と、第１の光ファイバと第２の光ファイバを前記規制ガイドに接着した後、固定する工程と、前記基板上に設けられたアライメントマークと回折格子上のアライメントマークを合わせて光源からの光を回折格子に照射し、第１の光ファイバと第２の光ファイバ上に干渉縞を形成することで第１の光ファイバと第２の光ファイバのファイバ内にファイバグレーティングを形成する工程と、前記レンズ挿入部にレンズを挿入して接着した後、固定する工程とを含む波長分離素子の作製方法。
【請求項５】
基板に第１の光ファイバと第２の光ファイバを長さ方向において互いに当接させて設置して規制ガイドを形成する工程と、前記第１の光ファイバと前記第２の光ファイバを前記規制ガイドに接着した後、固定する工程と、基板上に設けられたアライメントマークと回折格子上のアライメントマークとを合わせて光源からの光を回折格子に照射し、第１の光ファイバと第２の光ファイバ上に干渉縞を形成することで第１の光ファイバと第２の光ファイバのファイバ内にファイバグレーティングを形成する工程を含む波長分離素子の作製方法。
【請求項６】
第１の基板に光ファイバを設置する規制ガイドを形成する工程と、レンズ挿入部および第２の基板を挿入するための挿入部を形成する工程と、前記第２の基板に規制ガイドを形成する工程と、前記光ファイバを第１の基板の規制ガイドに接着した後、固定する工程と、前記光ファイバの先端を斜めに切断する工程と、前記光ファイバの切断面に波長フィルタを当接した後、固定する工程と、第２の基板を第１の基板の挿入部に挿入した後、固定する工程と、前記第２の基板の規制ガイドに光ファイバを接着した後、固定する工程と、前記第１の基板のレンズ挿入部にレンズを挿入した後、固定する工程とを含む波長分離素子の作製方法。
【手続補正２】
【補正対象書類名】明細書
【補正対象項目名】０００４
【補正方法】変更
【補正の内容】
【０００４】
【課題を解決するための手段】
本発明は、波長λ1の光のみを透過させるファイバグレーティングを有する第１および第２の光ファイバと、前記第１の光ファイバと前記第２の光ファイバそれぞれのファイバグレーティングに挟まれ設置されたレンズと、前記第１の光ファイバと前記第２の光ファイバを設置する規制ガイドを有し、前記レンズを固定するレンズ挿入部が形成された基板を具備する波長分離素子に関する。


【手続補正３】
【補正対象書類名】明細書
【補正対象項目名】０００５
【補正方法】変更
【補正の内容】
【０００５】
また、本発明は、波長λ1の光のみを透過させるファイバグレーティングを有する第１および第２の光ファイバと、前記第１の光ファイバと前記第２の光ファイバとを設置する規制ガイドが形成された基板を具備する波長分離素子にも関する。


【手続補正４】
【補正対象書類名】明細書
【補正対象項目名】０００６
【補正方法】変更
【補正の内容】
【０００６】
さらに、本発明は、斜め形状を有する第１の光ファイバおよび第２の光ファイバと、前記第１の光ファイバと前記第２の光ファイバの間に設置され波長λ1の光は透過し波長λ2の光は反射する波長フィルタと、前記波長フィルタにより反射された光を前記第１および第２の光ファイバとは異なる光ファイバに入射するように配置されたレンズと、前記第１の光ファイバと前記第２の光ファイバとを設置する規制ガイドとを有し、前記波長フィルタと前記レンズを固定する部分を有する第１の基板と、前記第１および第２の光ファイバとは異なる光ファイバを設置する挿入部を有する第２の基板を具備する波長分離素子にも関する。


【手続補正５】
【補正対象書類名】明細書
【補正対象項目名】０００７
【補正方法】変更
【補正の内容】
【０００７】
また、本発明は、基板に規制ガイドとレンズ挿入部とを形成する工程と、第１の光ファイバと第２の光ファイバを前記規制ガイドに接着した後、固定する工程と、前記基板上に設けられたアライメントマークと回折格子上のアライメントマークを合わせて光源からの光を回折格子に照射し、第１の光ファイバと第２の光ファイバ上に干渉縞を形成することで第１の光ファイバと第２の光ファイバのファイバ内にファイバグレーティングを形成する工程と、前記レンズ挿入部にレンズを挿入して接着した後、固定する工程とを含む波長分離素子の作製方法に関する。


【手続補正６】
【補正対象書類名】明細書
【補正対象項目名】０００８
【補正方法】変更
【補正の内容】
【０００８】
さらに、本発明は、基板に第１の光ファイバと第２の光ファイバを長さ方向において互いに当接させて設置して規制ガイドを形成する工程と、前記第１の光ファイバと前記第２の光ファイバを前記規制ガイドに接着した後、固定する工程と、基板上に設けられたアライメントマークと回折格子上のアライメントマークとを合わせて光源からの光を回折格子に照射し、第１の光ファイバと第２の光ファイバ上に干渉縞を形成することで第１の光ファイバと第２の光ファイバのファイバ内にファイバグレーティングを形成する工程を含む波長分離素子の作製方法に関する。


【手続補正７】
【補正対象書類名】明細書
【補正対象項目名】０００９
【補正方法】変更
【補正の内容】
【０００９】
さらにまた、本発明は、第１の基板に光ファイバを設置する規制ガイドを形成する工程と、レンズ挿入部および第２の基板を挿入するための挿入部を形成する工程と、前記第２の基板に規制ガイドを形成する工程と、前記光ファイバを第１の基板の規制ガイドに接着した後、固定する工程と、前記光ファイバの先端を斜めに切断する工程と、前記光ファイバの切断面に波長フィルタを当接した後、固定する工程と、第２の基板を第１の基板の挿入部に挿入した後、固定する工程と、前記第２の基板の規制ガイドに光ファイバを接着した後、固定する工程と、前記第１の基板のレンズ挿入部にレンズを挿入した後、固定する工程とを含む波長分離素子の作製方法に関する。